(57)【要約】 【課題】ハンカチや浴用タオルなどの布製品や、ティッシュペーパーなどの紙製品をエプロンなどに形成し装着する道具である。【解決手段】可撓性線材の１本を支持本体１として、他の１本を係止体２とし、該係止体の端部３，４を、支持本体上にやや緩みを持って掛け止めたもの。係止体２の左右端部が支持本体１上をスライド自在とすることで、撓んだ分の線材が山形とすることや、係止体を、支持本体上をスライドさせ、片側に引き伸ばして延長することができる。これをハンカチや浴用タオルの他、ティッシュペーパーやナフキンなどの間に挟んでエプロンとして身に着けたり、ヘヤバンドやアイマスク様に固定するものである。【選択図】  図１
2007284811.tif 000002
【特許請求の範囲】
【請求項１】
２本の可撓性線材の１本を支持本体１として、他の１本を係止体２とし、該係止体の端部３，４を、支持本体上に遊冠係止し、係止体２の左右端部が支持本体１上をスライド自在とすることを特徴としたエプロンなど形成ホルダー。
【請求項２】
前記可撓性線材の外側を布で被服してなることを特徴とする請求項１記載のエプロンなど形成ホルダー。
【請求項３】
前記可撓性線材の外側を防水性と弾力性のある部材、すなわち、シリコンや発泡プラスチック、ビニールなどの１種からなる素材で被服してなることを特徴とする請求項１記載のエプロンなど形成ホルダー。
【発明の詳細な説明】
【技術分野】
【０００１】
本発明は、布製品（ハンカチ、ネッカチーフ、スカーフやタオルなど）や、紙製品〈ナフキンやティッシュペーパーなど〉などを身体に装着し保持する道具に関する。
【背景技術】
【０００２】
従来、エプロンは、それ自体を首周りなど体の一部に固定するように構成されている。またネッカチーフやスカーフを装飾や保温、日焼け防止などに用いたり、ハンカチやタオルをエプロンがわりに身につけようとするには結んだり、襟元に掛けたりすることがあるが、ずりおちたり、窮屈になったり不都合が生じる。また、子供の食べこぼしを受けるためのポケット付き立体的構造をなすエプロンとしては、下端にポケットを設けたものがある。食べこぼしの多い乳幼児や食事介助を必要とする人にとっては、従来の立体化したエプロンはいずれも位置が低く過ぎ、胸元の汚れは防げない。又、防水性重視では素材の肌触りが悪いなどの欠点がある。本発明はこれらの欠点を解消するものである。
乳幼児や食事介助用エプロンは首周りに固定するものであるが、胴まわりにタオルを利用して、簡易エプロンとすること、首周りにスカーフやネッカチーフを飾りや日除けのために自在な形に固定すること、タオルやハンカチを利用してヘヤバンド様にワンタッチで装着するアイマスクとすることなどをその他の目的とするものである。
【０００３】
本件周辺の先願としては以下のような文献が開示されている。
【特許文献１】特願平１１−２３４１６８  「食事エプロン」
【０００４】
本先願の要旨は、首周りで固定し、裾周りに食べこぼしを受けるポケットを設けて立体化したエプロンの製造方法が開示されている。
【０００５】
【特許文献２】特願平１０−２８４３８７「発明の名称」乳幼児用のエプロン
【０００６】
本先願の要旨は、エプロンの紐の長さが自在となる構造が開示されている。
【０００７】
【特許文献３】特願平１０−２８０７４２「発明の名称」変形自在な装身具
【０００８】
本先願の要旨は、針金に、その２，５倍以上の布製筒体を被せたもので、布を寄せてギャザーをつくることや、針金を曲げて装飾性を目的とした形を形成する道具が開示されている。
【発明の開示】
【発明が解決しようとする課題】
【０００９】
本件に関する周辺発明の先願としては上記した通りである。「特許文献１」は形状的には従来から一般に使われてきた立体型エプロンであり、その独自性はなく、製造方法に関するもので、各一体がそれ自体単独のエプロンである。
【００１０】
「特許文献２」は、エプロンを体に固定するための紐の長さに関しての自在性をもつもので、エプロン自体は単独のエプロンである。
【００１１】
「特許文献３」は、針金で形の多様性を形成する機能を持つものではあるが、ハンカチやタオルなどの平面上の布を掛け渡し、立体化したエプロンを形成することや、線状素材をスライドさせたり、延長させる機能と構造は有しない。
【００１２】
乳幼児の場合、一人で食事をすることは、大切な生活学習であり、食べこぼしを気にせず、楽しい食事をさせたいという親の気持ちがありつつも、外出先などで、水分の多い汚れなどがあると、手持ちのエプロンでは不足する事態が生じ、困ることがある。また、食事介助を必要とする人は、食べ物をこぼすことを気にして遠慮があったり、プライドが傷つくこともある。さらに、介助者の都合で、使用感の悪いビニールなどで、汚れを防ぐことを優先し、本人の快適さから程遠い状況になることもある。そこで、本発明は手持ちのきれいなハンカチや肌触りの良いタオル、また、使い捨てを気にせず使えるティッシュやナフキンを手軽にエプロンにして、必要量を確保できるようにして、エプロンをつける本人と介助をする人、双方の立場を満たすことができるようにすること。次に、ネッカチーフなどの装飾用服飾品を誰でもワンタッチで装着できるようにすること。また、浴用タオルを胴回りに固定し、簡易エプロンを形成することなどをなすを目的とするものである。さらに、部材の可撓性を利用して、ヘヤバンド状の形状をなすことを可能とし、髪を覆ったりハンカチを被せてアイマスクとする目的などもある。
【課題を解決するための手段】
【００１３】
２本の可撓性線材からなり、１本を支持本体１として、他の１本を係止体２とする。該係止体の端部３，４を、支持本体上に遊冠係止してなるものである。
係止体２の左右端部が支持本体１上をスライド自在となることが第一の機能であり、係止体２を左右から寄せて所望の山状にし、または、係止体２を支持本体１とそろえた状態で、支持本体１と係止体２ともに平行状に折曲し、所望の湾曲状や部材を互いに拡げ、輪状になすことなど形状自在にできる第二の機能。
さらに、係止体２を、支持本体１上をスライドさせ、そのまま片側を支持本体１より外へ引き伸ばし一直線状にして延長できる第三の機能を有する。
前記可撓性線材の外側には布で被服してなるもの、防水性と弾力性のある部材、すなわち、シリコンや発泡プラスチック、ビニールなどの１種からなる素材で被服してなるものよりなる。
前記係止体は支持本体にスライド自在で着脱を可能とすることができる。
【発明の効果】
【００１４】
このような方法で構成された本発明を使用することによって、以下のような効果がある。
布製品のハンカチやタオルを本体に掛け渡し、それぞれの使用状況に即した形に変形自在として、誰でも簡単にエプロンにできる。素材の交換や選択が所望により多様性があり、好みの色や模様を胸元におくことによって気持ちが和らぐ。また、布製品は肌触りが良く温かさがここちよさとなって、食事が楽しくなる。紙製品のティッシュペーパーやナフキンは気軽に使い捨てができるので、食事途中で口元をまめに拭いてあげることができ、清潔に食事ができる。ティッシュ類は補充も簡単でどんな場面でも使用が容易であることは心強い。
部材が可撓性のある線材であるから首周りは個々の必要な長さに容易に調整
できる。また、支持本体の上を係止体の左右端部を中央方向へスライド自在として撓ませた状態で山形にできることによって、極めて簡単な手段で平面素材を立体化でき、首周りの下で、前方に突出した部分ができることになる。この突出部が、食べこぼしを口元から近いところで受けることができ、失敗がない。タオル地の場合は繊維の重みと張りがあることで、二本の線材をそろえて首周りに固定することによって、重みに耐える強度をつくることが出来る。また、タオル地は胸の位置にドレープが生じ、ポケット様形状をなす特徴がある。線材に掛け渡した状態でハンカチやタオルをエプロン化することによって二重であるから、間に空間ができるので、表面の一枚に水分がついても、下側の素材に触れず、衣服を汚すことはなく快適である。使用するタオルやハンカチ自体にはなんら加工を施すことなくそのままであるから、使用後の洗濯や、他の用途へと自在に使いまわしができ、どこにでもある素材の利用で経済的負担がない。使い方も容易で、誰でも簡単にエプロン様の形状を形成できる。
また、ネッカチーフやスカーフをホルダー本体全体に掛け渡し、首周りに沿わせて湾曲させ、ワンタッチで装着、取り外しができるので、車の運転など着脱を繰り返すときや、風の強い日に形が崩れることが気になるときなどに容易に使用ができる。
さらに、部材をスライドして延長できるので、胴周りに掛け回しとめることができる。線材に浴用タオルを掛け渡すだけで簡易エプロンにできるので、調理時に濡れた手を拭きながら作業し、汚れたらすぐに交換ができ、清潔である。
本発明のスライド性、可撓性両方を併せ持つことにより、従来と全くことなる使用法にも発展させることができる。
それは、ヘヤバンド状に形成できるので、髪を覆うことやハンカチを被せて額にのせることによって、従来にないアイマスクとすることができる。その具体例は実施例に記したとおりである。
以上のような様々な効果のあるエプロンなど形成ホルダーである。
【発明を実施するための最良の形態】
【００１５】
実施例を図面に従って説明する。
図１は本発明請求項１記載の実施態様図である。
ステンレスやアルミニウム、銅などの可撓性線材からなる１本を支持本体１として、他の１本を係止体２とする。該係止体可撓性線材においては、前記素材のほか、プラスチック材で形成することも可能である。該係止体の端部３，４を、支持本体上に環状の止め具や係止体の端部自体を折曲してやや緩みを設けて掛け止める。係止体２の左右端部が支持本体１上を中心方向にスライド自在となり、線材が撓むと山形を形成し、引き伸ばし一直線状にすれば、支持本体１と一体となる。線材が折曲自在であるから、山形を形成した後、全体を湾曲状にすることができる。
可撓性線材１・２の外側は滑りにくく肌触りの良いタオルなどの布や、あるいは、防水性があり弾性素材のシリコンや発泡プラスチック、ビニールなどの１種からなる素材で被服する。図１は外形状を表したものである。
【００１６】
これを使用するときは、先ず、ハンカチをエプロンにする場合を、その動態を図２によって説明する。
先ず、係止体２の端部をそれぞれ支持本体中心方向にスライドさせ、山形を形成する。次にハンカチ５を広げ、支持本体１を対角線状に置く。ハンカチを半分に折りたたむ。支持本体の両端とハンカチの角を合わせ持ち、山形が外に突出する方向に湾曲状に曲げる。山形の線材と、支持本体のすき間にハンカチの一枚を軽く上から押し、浅い袋状をつくることによって、エプロンとなる。使用する人の首に合わせて支持本体の湾曲を調整する。図３に示すように、首周り８に装着する。突出部が食べこぼしを受けるポケット９となり、装着、取り外しは軽く線材を曲げ伸ばしするだけで、誰にでも簡単にできる。
紙製品のナフキンはハンカチと同様対角線状におり、ティッシュペーパー６は図４に示すように、二つ折を３列重ねながら使用すると同様の効果が得られる。
又、浴用タオル７やスポーツタオルなど重みがあり、繊維に張りがある素材をエプロンにするときは、図５のように、線材をそろえたまま２本を骨組みとして使用することによって安定する。つまり、この場合は、支持本体１本よりなる実施例と形状は同一となる（図示せず）。平面タオルを首に巻きつけたことにより、胸元で自然にドレープ１０ができポケットの機能を発揮する。
また、首周りのエプロンではなく、胴周りに固定し前掛けとすることもできる。その場合は、図６のように、線材を２本そろえて着脱自在の係止体２をスライドしたまま片側を支持本体１からさらに横に伸ばして長さを延長させ、タオルの端に置き、タオルを掛け渡し、胴まわりに装着することにより簡易前掛けとして使用したり、ネッカチーフやスカーフの中に挟んで滑り落ちるのを防ぐ道具として使用することもできる。また、衣服の襟開きの調整用装身具に応用することもできる（図示せず）。従って線材の長さに関しては使用目的により適する長さとするものであり、撓みと形の保持力も範囲を限定するものではない。
【００１７】
さらに、従来にない画期的な使用法として、ヘヤバンド状のアイマスクの骨組みを形成することができる。
その方法は、図７に示すように、線材の支持本体の両端を額の幅よりやや狭く湾曲させ、２本の部材をやや中央が開くようにさせる。このようにしてできた骨組みに、折りたたんだハンカチを掛ける。額１２に接する上の線材に掛け渡し、さらに下部の鼻頭１３方向の下の線材の上にハンカチの端をのせる。額に載せてから、線材の端を耳方向に落としこむことによって耳掛け効果がプラスし、より安定させることができる。ヘヤバンド式だから従来のアイマスクのように頭をゴムひもで縛るような圧迫感がない。また、ハンカチを顔に被せるだけの場合のように体の動きによってずり落ちたりすることも防ぐことができる。
また、この本体を揃えてスカーフやハンカチを巻きつけ、適度に湾曲させることによって、ヘヤバンドとして使うことや、髪の毛全体を覆うこともできる。
【図面の簡単な説明】
【００１８】
【図１】請求項１記載の実施例斜視図
【図２】ハンカチを使った場合の取り付け動態図
【図３】ハンカチエプロン使用例図
【図４】ティッシュペーパーを使った場合の取り付け例図
【図５】重みのある浴用タオルなどを使った場合の使用例図
【図６】線材を延長する使用例図
【図７】ヘヤバンド式アイマスクとする場合の使用例図
【符号の説明】
【００１９】
１  支持本体
２  係止体
３  係止体の端部
４  係止体の端部
５  ハンカチ
６  ティッシュペーパー
７  浴用タオル
８  首周り
９  ポケット
１０  ドレープ
１１  額
１２  鼻頭
【図１】
2007284811.tif 000003
【図２】
2007284811.tif 000004
【図３】
2007284811.tif 000005
【図４】
2007284811.tif 000006
【図５】
2007284811.tif 000007
【図６】
2007284811.tif 000008
【図７】
2007284811.tif 000009